(57)【要約】【課題】取り付け、取り外しが容易で、フックの負荷耐力を向上させた掛止具を提供する。【解決手段】ケース本体１０の底面１１に形成した連通孔１１ｈを取り付けパネル８０の貫通孔８０ｈと対峙させ、挿入側に一対の爪部２１が形成され、爪部２１を貫通孔８０ｈと連通孔１１ｈとに連通してケース本体１０を取り付けパネル８０に固定する留め具２０と、軸部３１が留め具２０に回動可能に支持されたフック３０と、留め具２０または軸部３１に回動可能に支持されたレバー４０とをケース本体１０内に取り付けて掛止具１を構成し、レバー４０の傾倒時に、留め具２０が抜去方向へ後退して爪部２１が貫通孔８０ｈの縁と係合し、起立時に、留め具２０が挿入方向に進入して爪部２１との係合を解除させる。【選択図】図３
2013011303.tif 000002
【特許請求の範囲】
【請求項１】
取り付けパネルの貫通孔と対峙する連通孔が底面に形成されたケース本体と、
挿入側に一対の爪部が形成され、この爪部を前記貫通孔と前記連通孔とに連通して前記ケース本体を前記取り付けパネルに固定する留め具と、
軸部を有し、この軸部が前記留め具に回動可能に支持されたフックと、
前記留め具または前記軸部に回動可能に支持されたレバーと、
から構成され、
前記レバーは、傾倒時に前記留め具を抜去方向へ後退させ、前記爪部を前記貫通孔の縁に係合させ、起立時に前記留め具を挿入方向に進入させ、前記爪部の係合を解除させる、
ことを特徴とする掛止具。
【請求項２】
前記軸部は、前記レバーの回動軸を兼ねている、
ことを特徴とする請求項１に記載の掛止具。
【請求項３】
前記レバーは、傾倒側先端に係合解除部が形成された、
ことを特徴とする請求項１または請求項２に記載の掛止具。
【請求項４】
前記留め具には、前記爪部が形成された複数の脚部が形成され、
前記底面には、前記連通孔近傍に前記留め具の挿入方向に向けて前記脚部に挟まれたガイド部が形成され、
前記脚部は、前記レバーの傾倒時に前記ガイド部により位置決めされ、前記レバーの起立時に前記ガイド部による位置決めが解除される、
ことを特徴とする請求項１ないし請求項３のいずれか１項に記載の掛止具。
【請求項５】
前記底面または前記レバーのいずれか一方には凹部が形成され、他方には前記レバーの傾倒時に前記凹部と係合する凸部が形成された、
ことを特徴とする請求項１ないし請求項４のいずれか１項に記載の掛止具。
【請求項６】
前記ケース本体の内壁には、回動する前記フックと接触し、前記ケース内に収納された前記フックを仮留する１または複数の係合爪が形成された、
ことを特徴とする請求項１ないし請求項５のいずれか１項に記載の掛止具。
【発明の詳細な説明】
【技術分野】
【０００１】
本発明は、ロープ等を引っ掛けるための掛止具に関するものである。
【背景技術】
【０００２】
従来から、ワゴンタイプ等の自動車のラゲッジルームに取り付けられ、積まれた荷物を固定するためのロープやネットを引っ掛ける掛止具として、下記特許文献１に記載の掛止具が提案されている。
【０００３】
上記の掛止具は、被取り付け部材に固定される所定深さの凹部を有するハウジングと、このハウジングの凹部に収容可能に取付けられるフックと、前記凹部に組み付けられるカバーとを備えており、前記ハウジングは、その凹部の両側面に拡径孔部と、この拡径孔部に連通する縮径孔部とを有し、前記フックは、前記ハウジングの拡径孔部に挿入可能な一対の軸部を備え、この軸部を前記拡径孔部に挿入した後、前記縮径孔部にスライドさせることによって、回動可能に装着されている。
【０００４】
また、上記のフックは略Ｕ字形状をなしており、Ｕ字形状の外側には、一対の軸部が形成され、この軸部の反対方向には、一対の突起が対向して形成されている。
【０００５】
さらに、上記のカバーの周壁両側面には、カバーを取り外す際の、取り外し用溝が設けられている。
【先行技術文献】
【特許文献】
【０００６】
【特許文献１】特開２００６−７９８３号公報
【発明の概要】
【発明が解決しようとする課題】
【０００７】
しかし、上記した掛止具においては、以下のような課題がある。
この掛止具によれば、フックの取り付け時に軸部を拡径孔部から縮径孔部にスライドさせる必要があり、また、カバーをハウジングに組み込む際の位置決めの確認などの手間がかかる。
【０００８】
また、Ｕ字形状のフックは、環状のフックと比較すれば格段に軸が弱いため負荷耐力が弱く、また、軸がハウジングの外に露出しているため、掛止具の取り付け時に引っ掛かり破損するおそれもある。
【０００９】
さらに、カバーを取り外す際、スペースが狭いカバー側面からドライバー等を取り外し用溝に差し込まなければならないため、作業が困難となる。
【００１０】
本発明は、上記の実情に鑑みて提案されたものである。すなわち、取り付け、取り外しが容易で、フックの負荷耐力を向上させた掛止具の提供を目的とする。
【課題を解決するための手段】
【００１１】
上記目的を達成するために、本発明は、取り付けパネルの貫通孔と対峙する連通孔が底面に形成されたケース本体と、挿入側に一対の爪部が形成され、この爪部を前記貫通孔と前記連通孔とに連通して前記ケース本体を前記取り付けパネルに固定する留め具と、軸部を有し、この軸部が前記留め具に回動可能に支持されたフックと、前記留め具または前記軸部に回動可能に支持されたレバーと、から構成され、前記レバーは、傾倒時に前記留め具を抜去方向へ後退させ、前記爪部を前記貫通孔の縁に係合させ、起立時に前記留め具を挿入方向に進入させ、前記爪部の係合を解除させる、ことを特徴としている。
【００１２】
また、前記軸部は、前記レバーの回動軸を兼ねている、ことを特徴としている。
【００１３】
また、前記レバーは、傾倒側先端に係合解除部が形成された、ことを特徴としている。
【００１４】
また、前記留め具には、前記爪部が形成された複数の脚部が形成され、前記底面には、前記連通孔近傍に前記留め具の挿入方向に向けて前記脚部に挟まれたガイド部が形成され、
前記脚部は、前記レバーの傾倒時に前記ガイド部により位置決めされ、前記レバーの起立時に前記ガイド部による位置決めが解除される、ことを特徴としている。
【００１５】
また、前記底面または前記レバーのいずれか一方には凹部が形成され、他方には前記レバーの傾倒時に前記凹部と係合する凸部が形成された、ことを特徴としている。
【００１６】
また、前記ケース本体の内壁には、回動する前記フックと接触し、前記ケース内に収納された前記フックを仮留する１または複数の係合爪が形成された、ことを特徴としている。
【発明の効果】
【００１７】
本発明に係る掛止具では、取り付けパネルの貫通孔と対峙する連通孔が底面に形成されたケース本体と、挿入側に一対の爪部が形成され、この爪部を貫通孔と連通孔とに連通してケース本体を取り付けパネルに固定する留め具と、軸部を有し、この軸部が留め具に回動可能に支持されたフックと、留め具または軸部に回動可能に支持されたレバーと、から構成され、レバーは、傾倒時に留め具を抜去方向へ後退させ、爪部を貫通孔の縁に係合させ、起立時に留め具を挿入方向に進入させ、爪部の係合を解除させる構成とした。
したがって、掛止具を容易に取り付けることができる。また、フックの負荷耐力を向上させることができる。
【００１８】
また、軸部は、レバーの回動軸を兼ねていることが好ましい。
この構成により、レバーを支持する軸を別途に設ける必要がなく、材料費を抑えつつ作業性を向上させることができる。
【００１９】
また、レバーは、傾倒側先端に係合解除部が形成されていることが好ましい。
この構成により、作業性がよく、容易に係合を解除して掛止具を容易に取り外すことができる。
【００２０】
また、留め具には、爪部が形成された複数の脚部が形成され、底面には、連通孔近傍に留め具の挿入方向に向けて脚部に挟まれたガイド部が形成され、脚部は、レバーの傾倒時にガイド部により位置決めされ、レバーの起立時にガイド部による位置決めが解除されることが好ましい。
この構成により、掛止具を取り付けパネルに確実に係合させ、また、係合の解除時には容易に取り外すことができる。
【００２１】
また、底面またはレバーのいずれか一方には凹部が形成され、他方には前記レバーの傾倒時に前記凹部と係合する凸部が形成されていることが好ましい。
この構成により、レバーをケース本体に確実に固定することができる。
【００２２】
また、ケース本体の内壁には、回動する前記フックと接触し、ケース内に収納されたフックを仮留する１または複数の係合爪が形成されていることが好ましい。
この構成により、フック回動時のクリック感と収納時の仮保持を実現することができる。
【図面の簡単な説明】
【００２３】
【図１】本発明に係る掛止具の一実施形態を示す図であり、（ａ）は平面図、（ｂ）は側面図である。
【図２】本発明に係る掛止具の一実施形態を示す分解側面図である。
【図３】図１（ａ）のＡ−Ａ断面図であり、（ａ）は係合解除状態を示す断面説明図、（ｂ）は係合過程を示す断面説明図、（ｃ）は係合状態を示す断面説明図である。
【図４】フックを収納した状態を示す平面図である。
【図５】本発明の実施形態の変形例を示す斜視図であり、（ａ）は第一の変形例を示す斜視図であり、（ｂ）は第二の変形例を示す斜視図である。
【発明を実施するための形態】
【００２４】
以下に、本発明の実施形態を図面に基づいて説明する。なお、以下の実施形態は、本発明の実施形態の一つを例示するものである。したがって、本発明は、以下の実施形態に限定されるものではない。
【００２５】
図１（ａ）、（ｂ）、図２において、本実施形態に係る掛止具１は、ケース１０本体、留め具２０、フック３０、レバー４０、から構成されている。
【００２６】
ケース本体１０は、略長方形状の底面１１と、この底面１１の四辺から立設された内壁１２とから構成され、留め具２０、フック３０、およびレバー４０を収容可能な浴槽状に形成されている。底面１１の一方の短辺寄り略中央には、連通孔１１ｈが形成され、この連通孔１１ｈは取り付けパネル８０の貫通孔８０ｈと対峙している（図３参照）。連通孔１１ｈの近傍には、留め具２０の挿入方向に向けてガイド部１３が、ケース本体１０の垂直外側に突出して形成されている。連通孔１１ｈは、このガイド部１３に横切られて２つに分断され、スリット状に形成されている。連通孔１１ｈは、幅が留め具２０の脚部２２よりも広く形成されている。底面１１の他方の短辺寄り略中央には、取り付けパネル８０に取り付けるための挿入突起１４がケース本体１０の垂直外側に突出して形成されている。底面１１の一対の長辺寄り略中央には、レバー４０に係合する凸部１５がケース本体１０の垂直内側に突出して形成されている。
【００２７】
内壁１２で、底面１１の長辺から立設された一対の長側壁１２ｎの略中央には、フック３０に接触する一対の係合爪１６が形成されている。なお、係合爪１６の数は、一対に限られず、複数構成としてもよい。
【００２８】
ガイド部１３は、底面１１と連接する基部１３ｂと、この基部１３ｂから先端に向けて窄まって形成された逃げ部１３ｅと、先端であり基部１３ｂよりも幅広な先頭部１３ｔとから構成されている。基部１３ｂには、縮径されたことで形成された段部１３ｓが形成されている。
【００２９】
留め具２０は、向かい合う２つの脚部２２と、この脚部２２を連接するヒンジ部２３とから構成され、側面視して略Ｕ字状に形成されている。脚部２２同士の間隔は、ガイド部１３を構成する基部１３ｂの幅と略同一に形成され、脚部２２同士によってガイド部１３の基部１３ｂは挟まれている。脚部２２の先端には、一対の爪部２１が形成されている。爪部２１は、向かい合う脚部２２の内側で対峙するガイド側爪部２１ｇと、脚部２２の外側でガイド側爪部２１ｇの背面に形成されたパネル側爪部２１ｐとから構成されている。
【００３０】
フック３０は、略四角形状で無端環状に形成されている。略四角形状の一辺であるフック３０の一部は、軸部３１として留め具２０のヒンジ部２３に回動可能に支持され、フック３０が回動する軸となる。軸部３１と向かい合う他辺は、引掛け部３２として積荷を固定するロープなどが通される。フック３０は、軸部３１と、向かい合う引掛け部３２とを連結する連結辺３３が屈曲し、側面視してへの字状に形成されている。なお、フックの形状は無端環状に限られず、例えば棒状から環状に変形することで向かい合う端部の間に隙間が形成された有端の略環状としてもよい。
【００３１】
レバー４０は、先端４２と、この先端４２に向うにつれて幅広側から幅狭側へと、一方の縁が徐々に他方の縁へ近づくように傾斜して形成された一対の側面４３と、この側面４３の傾斜する縁同士を連接する上面とから構成されている。レバー４０には、先端４２、側面４３、および上面に囲まれて収納スペース４０ｓが形成され、この収納スペース４０ｓ内に留め具２０が収納される。レバー４０の全長は、フック３０の内径よりも小さく形成されている。先端４２には、係合解除部である溝４４が形成されている。係合解除部としては、溝４４の他、穴、または突起であってもよい。側面４３の幅広側には、フック３０の軸部３１を回動可能に支持する軸支持部４１と、傾倒時の支点となる支部４５が形成されている。側面４３には、ケース本体１０の底面１１に形成された凸部１５と係合する凹部４６が形成されている。なお、凹部４６は穴であってもよい。
【００３２】
次に、本実施形態に係る掛止具１の組み立て方法について説明する。
【００３３】
図２、図３（ａ）において、ヒンジ部２３で軸部３１を挟み込むように留め具２０にフック３０を装着する。留め具２０は略Ｕ字状に形成されているため、ヒンジ部２３によって回動可能に軸部３１を支持することができる。
【００３４】
フック３０を挟み込んだ留め具２０を、脚部２２側から本体ケース１０の底面１１に近づけ、脚部２２を連通孔１１ｈに挿入する。連通孔１１ｈは、幅が脚部２２よりも広いため、脚部２２を挿入させることができる。留め具２０は、脚部２２がガイド部１３の先頭部１３ｔに至るまで挿入されると、脚部２２間にガイド部１３の基部１３ｂが挟まれ、ヒンジ部２３と底面１１とでフック３０の軸部３１が挟持される。
【００３５】
レバー４０を、軸支持部４１側から、収納スペース４０ｓ内に収納するように留め具２０に被せる。同時に、軸支持部４１にフック３０を構成する軸部３１を支持させる。すなわち、軸部３１はレバー４０の回動軸を兼ねている。このとき、レバー４０は、軸支持部４１を底にして底面１１上に起立した状態である。軸支持部４１で軸部３１を支持することによって、フック３０は回動可能となる。
【００３６】
次に、本実施形態に係る掛止具１を取り付けパネル８０に取り付ける際の作用について、起立状態のレバー４０を傾倒させて貫通孔８０ｈの縁に係合させる場合、起立させて係合を解除させる場合の順に説明する。
【００３７】
図３（ａ）、（ｂ）、（ｃ）において、掛止具１を、ケース本体１０を構成する底部１１の連通孔１１ｈが貫通孔８０ｈと対峙するように取り付けパネル８０に設置する。ケース本体１０に形成されたガイド部１３は、底面１１からケース本体１０の外側に突出しているため、貫通孔８０ｈを貫通する。留め具２０の脚部２２もまた、爪部２１が連通孔１１ｈと貫通孔８０ｈとを連通する。なお、挿入突起１４も取り付けパネル８０の他の貫通孔に貫通する。
【００３８】
この状態で、上記したように起立させたレバー４０を、フック３０を構成する軸部３１を軸に、倒すように反時計回りに回動させる。レバー４０は支部４５を支点として、先端４２がケース本体１０の底部１１に向かって倒れ、軸支持部４１が軸部３１を支持したまま底面１１から離れる。レバー４０が傾倒することで、軸部３１が引き上げられ、支部４５が底面１１に沿ってスライドする。軸部３１が引き上げられることで、支持された留め具２０が抜去方向へ後退する。
【００３９】
抜去方向に後退した留め具２０は、脚部２２の先端がガイド部１３の先頭部１３ｔから離れる。留め具２０は、貫通孔８０ｈ近傍に位置するまで後退すると爪部２１が逃げ部１３ｅから基部１３ｂに沿って開脚される。脚部２２が開脚した留め具２０は、ガイド側爪部２１ｇがガイド部１３に形成された段部１３ｓに係合し、パネル側爪部２１ｐが貫通孔８０ｈの縁に係合して位置決めされる。また、向かい合う脚部２２は、内側で略同一幅の基部１３ｂを挟み、外側が貫通孔８０ｈの縁に挟まれている。したがって、留め具２０は、脚部２２が内側と外側とから規制され、開脚および閉脚が不能となる。この構成によって、掛止具１を確実に係合させることができる。
【００４０】
レバー４０は、完全に傾倒されると凹部４６が底面１１から突出して形成された凸部１５に係合される。この凹部４６および凸部１５によって、レバー４０を確実に固定することができる。
【００４１】
フック３０は、軸部３１が軸支持部４１に回動可能に支持されており、掛止具１を取り付けパネル８０に係合させた後も回動することがきる。フック３０は、無端環状に形成されているため、軸部３１の強度が高く、負荷耐力が向上し、少なくとも１０００Ｎ程度の保持力が確保できる。なお、上記したようにフックの形状が略環状であっても同様の保持力を確保することができる。
【００４２】
図４において、フック３０は、本体ケース１０内で回動させられると、連結辺３３が内壁１２の長側壁１２ｎに形成された一対の係合爪１６と接触して回動が一旦停止される。フック３０は、底面１１に近づくように更に押して回動させられると、連結辺３３が係合爪１６を越えてケース本体１０内に収納される。フック３０は、連結辺３３が係合爪１６によって上から押さえつけられて仮保持される。係合爪１６によって、フック３０の回動時にクリック感が得られ、収納後、振動などによってフック３０が回動して底面１１に打ち付けられて雑音が生じることもない。
【００４３】
以上のように、掛止具１を容易に取り付けパネル８０に取り付けることができる。
【００４４】
図３（ａ）、（ｂ）、（ｃ）において、傾倒状態のレバー４０を起立させて係合を解除させる場合は、図示しない工具を用いると容易に作業を行うことができる。レバー４０の先端４２に形成された溝４４に、例えばマイナスドライバなどの工具を差し込み、レバー４０を持ち上げる。同時に、長側壁１２ｎの凹部４６と底面１１から突出して形成された凸部１５との係合が解除される。溝４４が先端４２に形成されていることで、側面４３側よりも広いスペースで作業することができ、先端４２の一点のみ係合を解除すればよいため、作業性よく容易にレバー４０の係合を解除して掛止具１を取り外すことができる。
【００４５】
凸部１５との係合が解除されたレバー４０を、フック３０を構成する軸部３１を軸に、起こすように時計回りに回動させる。レバー４０は支部４５を支点として、先端４２がケース本体１０の底部１１から離れ、軸支持部４１が軸部３１を支持したまま底面１１に近づく。レバー４０が起立することで、軸部３１が押し下げられ、支部４５が底面１１に沿ってスライドする。軸部３１が押し下げられることで、支持された留め具２０が挿入方向へ進入する。
【００４６】
挿入方向に進入した留め具２０は、脚部２２の先端がガイド部１３の先頭部１３ｔへ到達する。留め具２０は、爪部２１が貫通孔８０ｈから離れて逃げ部１３ｅまで進入すると、基部１３ｂから逃げ部１３ｅに沿って閉脚される。脚部２２が開脚した留め具２０は、ガイド側爪部２１ｇとガイド部１３に形成された段部１３ｔとの係合が解除され、パネル側爪部２１ｐと貫通孔８０ｈの縁との係合が解除され、位置決めが解除される。また、向かい合う脚部２２は、内側で逃げ部１３ｅを挟んでいる。したがって、留め具２０は、逃げ部１３ｅのスペースにより脚部２２が内側へ撓めるようになるため、閉脚が可能となる。
【００４７】
留め具２０は、脚部２２が先頭部１３ｔの幅に収まり、また、内側に撓めるため、貫通孔８０ｈの縁に係合されることなく引き抜かれ、取り付けパネル８０から容易に掛止具１を取り外すことができる。
【００４８】
上記したように、本実施形態では、軸部３１をケース本体１０の外側に露出させず内側に収める構成とした。したがって、取り付け時に外側で引っ掛かり破損するおそれがない。
【００４９】
また、本実施形態では、レバー４０を傾倒させることで、取り付けパネル８０に掛止具１を取り付けることができ、レバー４０を起立させることで、取り外しできる構成とした。したがって、金属ボルトによって固定する必要がなくワンタッチで取り付けることができるため、ボルト締めの工数が減って作業性が向上し、金属部品の減少により軽量化にも資する。
【００５０】
また、本実施形態では、ケース本体１０は、留め具２０、フック３０、レバー４０を収容可能な浴槽状に形成され、レバー４０には、留め具２０が収まる収納スペース４０ｓが形成され、レバー４０の全長がフック３０の内径よりも小さく形成されている。すなわち、フック３０の内径にレバー４０が収まり、レバー４０の収納スペース４０ｓ内に留め具２０が収まり、これらがケース本体１０に収容される。したがって、外観上も好ましい。
【００５１】
また、本実施形態では、レバー４０は、側面４３が軸支持部４１が形成された幅広側から幅狭側である先端４２に向うにつれて一方の縁が徐々に他方の縁へ近づくように傾斜して形成されている。すなわち、レバー４０をケース本体１０に取り付けて傾倒させた際、先端４２近傍でスペースを広くとることができるため、工具や指を入れやすく操作性がよい。
【００５２】
また、本実施形態では、フック３０は、軸部３１と、向かい合う引掛け部３２とを連結する連結辺３３が屈曲し、側面視してへの字状に形成されている。したがって、フック３０は、軸部３１がレバー４０の傾倒によって引き上げられても屈曲部分から引掛け部３２に向けて底面１１に沿うように収められ、引掛け部３２が底面１１からわずかに浮く。したがって、底面１１と引掛け部３２との隙間に指や工具を入れやすく、操作性がよい。
【００５３】
また、本実施形態では、ケース本体１０を構成する底面１１の一対の長辺寄り略中央には、レバー４０に係合する凸部１５がケース本体１０の垂直内側に突出して形成されている。一方、レバー４０を構成する側面４３には、凸部１５と係合する凹部４６が形成されている。これらの凹部と凸部とは、逆に構成されていてもよい。すなわち、底面１１の一対の長辺寄り略中央に、底面凹部を形成し、レバー４０の側面４３に、底面凹部と係合するレバー凸部を形成してもよい。
【００５４】
図５（ａ）において、本実施形態の第一の変形例として、レバーが留め具に支持される構成としてもよい。すなわち、第一の変形例では、レバーの回動軸とフック３０の回動軸とが別々に構成される。この場合、留め具２０１に、ヒンジ部２３１の他に新たにフック用軸支持部２４１を形成し、レバー４０１に、軸支持部４１に替えて側面４３間を渡るレバー軸部４１１を形成する。そして、ヒンジ部２３１に、レバー４０１に形成されたレバー軸部４１１を支持させ、フック用軸支持部２４１に、フック３０の軸部３１を支持させる。なお、他の構成は上記実施形態と同一であるため説明を省略する。
【００５５】
また、図５（ｂ）において、第二の変形例として、留め具がレバー４０に支持される構成としてもよい。すなわち、第二の変形例でも、第一の変形例と同様にレバー４０の回動軸と、フック３０の回動軸とが別々に構成される。この場合、留め具２０２に、ヒンジ部に代えて新たに留め具軸部２３２を形成し、別途フック用軸支持部２４２を形成する。留め具軸部２３２は、レバー４０の軸支持部４１に支持させ、フック用軸支持部２４２に、フック３０の軸部３１を支持させる。なお、他の構成は上記実施形態と同一であるため説明を省略する。
【００５６】
以上、本発明の実施形態を詳述したが、本発明は上記実施形態に限定されるものではない。そして本発明は、特許請求の範囲に記載された事項を逸脱することがなければ、種々の設計変更を行うことが可能である。他の使用例の一態様として、例えば、床下収納庫のフタの取手などにも利用可能である。
【符号の説明】
【００５７】
１            掛止具
１０          本体ケース
１１          底面
１１ｈ        連通孔
１２          内壁
１２ｎ        長側壁
１３          ガイド部
１３ｂ        基部
１３ｅ        逃げ部
１３ｓ        段部
１３ｔ        先頭部
１４          挿入突起
１５          凸部
１６          係合爪
２０          留め具
２１          爪部
２１ｇ        ガイド側爪部
２１ｐ        パネル側爪部
２２          脚部
２３          ヒンジ部
３０          フック
３１          軸部
３２          引掛け部
３３          連結辺
４０          レバー
４０ｓ        収納スペース
４１          軸支持部
４２          先端
４３          側面
４４          溝
４５          支部
４６          凹部
８０          取り付けパネル
８０ｈ        貫通孔
２０１        留め具
２０２        留め具
２３１        ヒンジ部
２３２        留め具軸部
２４１        フック用軸支持部
２４２        フック用軸支持部
４０１        レバー
４１１        レバー軸部
【図１】
2013011303.tif 000003
【図２】
2013011303.tif 000004
【図３】
2013011303.tif 000005
【図４】
2013011303.tif 000006
【図５】
2013011303.tif 000007